(57)【要約】【課題】棒状化粧料の使用のためのより簡易な操作を実現する。【解決手段】筒型の容器本体と、前記容器本体の一端側から突出する第１の位置と、前記一端側に埋没する第２の位置との間で移動可能に設けられた、棒状化粧料を収納するスリーブと、ノック受け部を含み、前記ノック受け部へのノックに応じて、前記スリーブを前記第１の位置と前記第２の位置との間で往復移動させるノック機構部と、前記容器本体の前記一端側の開口の縁部に設けられた開閉部と、を備える、容器。【選択図】図３
2020014633.tif 000002
【特許請求の範囲】
【請求項１】
筒型の容器本体と、
前記容器本体の一端側から突出する第１の位置と、前記一端側に埋没する第２の位置との間で移動可能に設けられた、棒状化粧料を収納するスリーブと、
ノック受け部を含み、前記ノック受け部へのノックに応じて、前記スリーブを前記第１の位置と前記第２の位置との間で往復移動させるノック機構部と、
前記容器本体の前記一端側の開口の縁部に設けられた開閉部と、
を備える、容器。
【請求項２】
前記容器本体は前記容器本体の軸周りに回旋する回旋部を含み、
前記スリーブは前記回旋部の回旋に連動して前記容器本体の軸周りに回旋し、
前記スリーブの回旋に応じて前記スリーブに対して前記棒状化粧料を昇降させる昇降機構部をさらに備える、請求項１に記載の容器。
【請求項３】
前記ノック受け部は、前記容器本体の他端側から突出し、
前記ノック機構部は、
前記ノック受け部と前記スリーブとの間に位置し、前記ノック受け部へのノックに応じて回転および昇降する回転部、および、
前記スリーブの外側に前記容器本体の軸方向に沿って設けられた弾性部材と、
を有する、請求項１または２に記載の容器。
【請求項４】
前記開閉部は、複数の開閉要素からなり、
前記複数の開閉要素の各々が前記スリーブの移動に応じて前記開口を開閉する、請求項１〜３のいずれか一項に記載の容器。
【請求項５】
前記複数の開閉要素の各々は、前記開口の中心から前記開閉要素に向かう半径方向と交差する方向に沿う回転軸周りに回転することによって前記開口を開閉し、
前記スリーブの外周には、前記スリーブが前記第１の位置に移動する過程で前記複数の開閉要素の各々の前記回転軸に当接して前記回転軸を回転させる当接部材が設けられる、請求項４に記載の容器。
【請求項６】
前記開閉部は、前記開口を閉じる方向に付勢されている、請求項１〜５のいずれか一項に記載の容器。
【発明の詳細な説明】
【技術分野】
【０００１】
本発明は、容器に関する。
【背景技術】
【０００２】
近年、口紅およびリップクリームなどの棒状化粧料を収納する容器が広く普及している。当該容器としては、容器本体およびキャップからなる容器が知られており、使用者は、容器本体からキャップを取り外し、容器本体に対して所定の操作を行うことで、容器本体から棒状化粧料を繰り出すことが可能である。
【０００３】
棒状化粧料を収容する容器に関し、特許文献１には、キャップを有さない容器が開示されている。当該容器の開口には蓋体が設けられており、使用者がケース本体に設けられた操作部を下方にスライドさせると、棒状化粧料を収納するスリーブが上昇し、当該スリーブが蓋体を押し開ける。その後、使用者が操作部を上方にスライドさせると、当該スリーブが下降し、蓋体が開口を閉める。
【先行技術文献】
【特許文献】
【０００４】
【特許文献１】特開平９−１３５７２６号公報
【発明の概要】
【発明が解決しようとする課題】
【０００５】
上述したように、特許文献１に記載の容器においては、操作部のスライドによりスリーブの往復移動が実現される。しかし、特許文献１に記載の容器においては、操作部のスライド方向とスリーブの移動方向が逆であるので、操作部を直観的に操作することが難しい。このため、棒状化粧料の使用のためのより簡易な操作が望まれていた。
【０００６】
本発明は、棒状化粧料の使用のためのより簡易な操作を実現するための容器に関する。
【課題を解決するための手段】
【０００７】
上記課題を解決するために、本発明のある観点は、筒型の容器本体と、前記容器本体の一端側から突出する第１の位置と、前記一端側に埋没する第２の位置との間で移動可能に設けられた、棒状化粧料を収納するスリーブと、ノック受け部を含み、前記ノック受け部へのノックに応じて、前記スリーブを前記第１の位置と前記第２の位置との間で往復移動させるノック機構部と、前記容器本体の前記一端側の開口の縁部に設けられた開閉部と、
を備える、容器に関する。
【発明の効果】
【０００８】
以上説明したように本発明の容器によれば、棒状化粧料の使用のためのより簡易な操作を実現することが可能である。
【図面の簡単な説明】
【０００９】
【図１】本発明の実施形態による棒状化粧料容器１０の外観を示す説明図である。
【図２】棒状化粧料容器１０の状態変化を示す説明図である。
【図３】本発明の実施形態による棒状化粧料容器１０の内部構成を示す説明図である。
【図４】回旋部２６０の平面図である。
【図５】筒体２２０の構造を示す説明図である。
【図６】ノック機構部４０およびリング部材５０の分解斜視図である。
【図７】ノック機構部４０の動作を示す説明図である。
【図８】スリーブ６０および昇降機構部７０の側面図である。
【図９】図８に示したＡ−Ａ線断面を示す説明図である。
【図１０】棒状化粧料容器１０の全体動作を示す説明図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
＜１．棒状化粧料容器の概要＞
本発明の実施形態は、化粧料を収納する容器に関し、特に、棒状の化粧料を収納する棒状化粧料容器に関する。まず、図１および図２を参照し、本発明の実施形態による棒状化粧料容器の外観構成および概略動作を説明する。
【００１２】
（棒状化粧料容器の外観構成）
図１は、本発明の実施形態による棒状化粧料容器１０の外観を示す説明図である。図１に示したように、棒状化粧料容器１０は、容器本体２０、開閉部３０およびノック受け部４２０を有する。
【００１３】
容器本体２０は、筒体２２０および回旋部２６０を有する。筒体２２０は、容器本体２０の軸方向の両端に開口を有し、一端側の開口にはノック受け部４２０が位置し、他端側の開口には回旋部２６０が位置する。本明細書においては、筒体２２０から見て回旋部２６０が位置する側を上側と称し、筒体２２０から見てノック受け部４２０が位置する側を下側と称する場合がある。
【００１４】
また、筒体２２０の内部には、棒状化粧料（図２の符号８０）、および棒状化粧料を収納するスリーブ（図２の符号６０）が設けられる。また、筒体２２０の内部には、スリーブおよび棒状化粧料を昇降させるためのノック機構部が設けられる。これら筒体２２０の内部に設けられる構成の詳細は後述する。
【００１５】
回旋部２６０は、容器本体２０の軸周りに筒体２２０に対して回旋する。回旋部２６０も、筒体２２０と同様に、筒型の形状を有し、容器本体２０の軸方向の両端に開口を有する。回旋部２６０の外周には、周方向に沿って凹凸が形成されている。当該凹凸により、使用者が回旋部２６０を回旋させる際の使用者の手指と回旋部２６０の間の滑りを抑制することができる。
【００１６】
なお、本明細書に添付の図面においては、棒状化粧料容器１０の形状として円筒形状を示し、棒状化粧料の形状として円柱形状を示しているが、棒状化粧料容器１０および棒状化粧料の形状は図面に示された例に限定されない。例えば、棒状化粧料容器１０の形状は角筒形状であってもよいし、棒状化粧料の形状は角柱形状であってもよい。また、棒状化粧料は、口紅、リップクリーム、リップグロス、スティックアイシャドウ、またはスティクファンデーションなどの化粧料であってもよい。
【００１７】
開閉部３０は、回旋部２６０の上端側の開口を開閉可能に、当該開口の縁部に設けられる。開閉部３０は複数の開閉要素を含み、各開閉要素は回旋部２６０の上端側の開口を閉じる方向に付勢されている。このため、棒状化粧料容器１０の使用待機状態においては回旋部２６０の開口が開閉部３０により閉じられ、棒状化粧料容器１０の使用状態においては開閉部３０が開き回旋部２６０の開口からスリーブおよび棒状化粧料が突出する。
【００１８】
ノック受け部４２０は、使用者からノックを受ける部分であり、ノック機構部の一部を構成する。ノック受け部４２０を使用者がノックすることにより、ノック機構部がスリーブおよび棒状化粧料を容器本体２０に対して昇降させる。
【００１９】
（棒状化粧料容器の概略動作）
続いて、図２を参照し、本発明の実施形態による棒状化粧料容器１０の概略動作を説明する。図２は、棒状化粧料容器１０の状態変化を示す説明図である。図２に示した状態１は、棒状化粧料容器１０の使用待機状態であり、開閉部３０が回旋部２６０の開口を閉じている。当該使用待機状態においてノック受け部４２０が使用者によりノックされると、容器本体２０に収納されているスリーブ６０が容器本体２０に対して上昇する。当該上昇により、状態２に示すように、開閉部３０が回旋部２６０の開口を開き、当該開口からスリーブ６０が突出する。そして、使用者が回旋部２６０を図２の状態３において矢印で示した第１方向に回旋させると、棒状化粧料８０がスリーブ６０に対して上昇し、棒状化粧料容器１０が状態３に示した使用可能状態になる。図２の状態３においては、第１方向が棒状化粧料容器１０を上から見た場合の反時計回りの方向である例を示しているが、第１方向は棒状化粧料容器１０を上から見た場合の時計回りの方向であってもよい。
【００２０】
その後、使用者が第１方向と反対である第２方向に回旋部２６０を回旋させると、状態４に示したように、棒状化粧料８０がスリーブ６０に対して下降してスリーブ６０に埋没する。そして、使用者がノック受け部４２０をノックすると、スリーブ６０が容器本体２０に対して下降して容器本体２０に埋没する。これにより、開閉部３０が回旋部２６０の開口を閉じ、容器本体２０が状態５に示した使用待機状態に戻る。
【００２１】
このように、本発明の実施形態によれば、使用者は、キャップの着脱無しに棒状化粧料容器１０を使用することが可能である。従って、片手での操作が可能となり、キャップの置き場所にも困らなくなることから、棒状化粧料容器１０を使用するための使用者の手間および時間を軽減することが可能である。特に、近年の女性の社会進出に伴い、スキンケアおよび化粧を短時間かつ簡単に行いたいという女性のニーズが高まっている。本発明の実施形態によれば、棒状化粧料容器１０の内容物に棒状化粧料を適用することにより、上記のような女性のニーズを満たすことが可能である。
【００２２】
＜２．棒状化粧料容器の構成＞
以上、本発明の実施形態による棒状化粧料容器１０の概要を説明した。続いて、本発明の実施形態による棒状化粧料容器１０の詳細な構成を説明する。
【００２３】
図３は、本発明の実施形態による棒状化粧料容器１０の内部構成を示す説明図である。図３に示したように、棒状化粧料容器１０は、容器本体２０、開閉部３０、ノック機構部４０およびスリーブ６０を有する。なお、図３においては筒体２２０の外形を二点鎖線で示し、筒体２２０の内部の構成を実線で示している。
【００２４】
（容器本体）
容器本体２０は、上述したように、筒体２２０および回旋部２６０を有する。
【００２５】
−回旋部
回旋部２６０は、第１部分２６２、および第１部分２６２よりも径が小さい第２部分２６４を有する。第１部分２６２の外周には凹凸が形成されており、当該第１部分２６２の外周に使用者の手指が接触する。第２部分２６４は、筒体２２０の内部に挿入される。第２部分２６４は、外周に突起２６４ａを有する。例えば、第２部分２６４の外周には、複数の突起２６４ａ（例えば、４つの突起２６４ａ）が等間隔に設けられてもよい。
【００２６】
ここで、図４を参照し、回旋部２６０への開閉部３０の取り付けについて説明する。図４の上図は開閉部３０の取り付け前の回旋部２６０の第１部分２６２を示す平面図であり、図４の下図は開閉部３０の取り付け後の第１部分２６２を示す平面図である。図４の上図に示したように、回旋部２６０の第１部分２６２は開口Ｓを有し、当該開口Ｓの縁部には複数の回転軸２６３が設けられる。また、図４の上図には、開口Ｓの中にスリーブ６０、棒状化粧料８０および後述するリング部材５０が示されている。各回転軸２６３は、開口の中心から各回転軸２６３に向かう半径方向と交差する方向に沿って形成されている。図４の下図に示したように、当該各回転軸２６３には、花弁を模した形状を有する開閉要素３１が取り付けられる。回転軸２６３は、例えばねじりバネにより開閉要素３１が開口Ｓを閉じる方向に付勢されている。このため、棒状化粧料容器１０の使用待機状態においては図４の下図に示したように開口Ｓは各開閉要素３１により閉じられている。
【００２７】
なお、図４においては開閉部３０が６つの開閉要素３１からなる例を示しているが、開閉部３０を構成する開閉要素３１の数は、６つに限定されず、１つであってもよいし、２つ〜５つであってもよいし、７つ以上であってもよい。また、図４においては、使用待機状態において各開閉要素３１が重なり合う例を示しているが、各開閉要素３１は、他の開閉要素３１と重なり合わないような形状または大きさに設計されてもよい。また、図４においては、各開閉要素３１として板状の部材を示しているが、各開閉要素３１は刷毛などの他の部材により構成されてもよい。
【００２８】
−筒体
筒体２２０は、内周面に複数の溝および凸面を有する。以下、図５を参照して、筒体２２０の内周面の構造を説明する。
【００２９】
図５は、筒体２２０の構造を示す説明図である。図５に示したように、筒体２２０の内周面には、周方向ガイド溝２２４、第１軸方向ガイド溝２２６および凸面２２８が形成されている。周方向ガイド溝２２４は、筒体２２０の周方向に亘って形成された溝であり、当該周方向ガイド溝２２４に回旋部２６０の突起２６４ａが嵌合する。かかる構成により、筒体２２０に対する回旋部２６０の軸方向上での位置が固定される。一方で、突起２６４ａは周方向ガイド溝２２４内を移動可能であるので、回旋部２６０は筒体２２０に対して回転可能である。
【００３０】
第１軸方向ガイド溝２２６は、棒状化粧料容器１０の軸方向に沿って形成された溝である。図５においては、４本の第１軸方向ガイド溝２２６を示している。当該第１軸方向ガイド溝２２６には、後述する支持部４６０の突起４６２が嵌合する。
【００３１】
凸面２２８は、筒体２２０の下端側に形成され、筒体２２０の中心軸側に突出する面である。図５においては４つの凸面２２８を示しており、各凸面２２８の間隔部分には、相対的に外側方向に凹む第２軸方向ガイド溝２２９が形成される。当該第２軸方向ガイド溝２２９には、後述するノック受け部４２０の突起４２２、および回転部４４０の羽根部４４２が嵌合する。また、凸面２２８の上縁は、図５に示したように斜面２２８ａおよび段差部２２８ｂを交互に有する。
【００３２】
（ノック機構部）
スリーブ６０は、回旋部２６０の上端側からスリーブ６０が突出する第１の位置、および回旋部２６０の上端側にスリーブ６０が埋没する第２の位置との間で移動可能に設けられており、ノック機構部４０は、使用者によるノックに応じて、スリーブ６０を第１の位置と第２の位置との間で往復移動させる。このようなノック機構部４０は、図３に示したように、ノック受け部４２０、回転部４４０、支持部４６０およびコイルバネ４８０を有する。以下、図６を参照し、ノック機構部４０の詳細な構成を説明する。図６は、ノック機構部４０およびリング部材５０の分解斜視図である。
【００３３】
−ノック受け部
ノック受け部４２０は、筒体２２０の下端側から突出し、図６に示したように上縁部４２１および突起４２２を有する。上縁部４２１は、棒状化粧料容器１０の中心軸周りの第１方向に沿って高さが上がる第１の傾斜面および第１方向に沿って高さが下がる第２の傾斜面を交互に含む。突起４２２は、ノック受け部４２０の外周面から突出する構成である。突起４２２は、図５を参照して説明した第２軸方向ガイド溝２２９に嵌合する。かかる構成により、ノック受け部４２０の筒体２２０に対する回転位置は固定される。一方で、突起４２２は第２軸方向ガイド溝２２９内で移動可能であるので、ノック受け部４２０は筒体２２０に対して昇降可能である。
【００３４】
−回転部
回転部４４０は、ノック受け部４２０とスリーブ６０との間に位置し、ノック受け部４２０へのノックに応じて回転および昇降する。回転部４４０は、図６に示したように、基部４４１および４つの羽根部４４２を有する。基部４４１は円筒形状を有し、基部４４１の一側に支持部４６０が当接する。基部４４１の外周面には４つの羽根部４４２が等間隔に形成されている。羽根部４４２の下面４４２ａは、棒状化粧料容器１０の軸方向に直交する水平方向に対して傾斜している。当該羽根部４４２の下面４４２ａは、ノック受け部４２０の上縁部４２１または筒体２２０の凸面２２８に当接する。
【００３５】
−支持部
支持部４６０は、スリーブ６０および後述する昇降機構部などを支持する。支持部４６０は、図６に示したように有底の円筒形状を有する。支持部４６０の外周面は４つの突起４６２を有し、支持部４６０の内周面は、周方向に沿って凹凸が繰り返される凹凸面４６４である。突起４６２は筒体２２０の第１軸方向ガイド溝２２６に嵌合する。かかる構成により、支持部４６０の筒体２２０に対する回転位置は固定される。一方で、突起４６２は第１軸方向ガイド溝２２６内で移動可能であるので、支持部４６０は筒体２２０に対して昇降可能である。凹凸面４６４は、後述する昇降機構部７０の係合部７２０と係合する。
【００３６】
−コイルバネ
コイルバネ４８０は、棒状化粧料容器１０の軸方向に沿って伸縮する弾性部材の一例である。コイルバネ４８０は、図３に示したようにスリーブ６０の外側に棒状化粧料容器１０の軸方向に沿って設けられる。コイルバネ４８０の下端は支持部４６０に当接し、コイルバネ４８０の上端は回旋部２６０の第２部分２６４の下端面に当接する。すなわち、コイルバネ４８０の上端が固定され、コイルバネ４８０の下端位置が支持部４６０の昇降に伴って変化することにより、コイルバネ４８０が棒状化粧料容器１０の軸方向に沿って伸縮する。
【００３７】
−リング部材
リング部材５０は、リング形状を有し、スリーブ６０の外周面に係合する。リング部材５０は、スリーブ６０が回旋部２６０の開口から突出する過程で図４を参照して説明した複数の回転軸２６３に当接して複数の回転軸２６３を回転させる当接部材の一例である。リング部材５０と複数の回転軸２６３との当接により複数の回転軸２６３が回転することにより、開閉部３０が回旋部２６０の開口Ｓを開く。従って、棒状化粧料８０がスリーブ６０から突出する際に、開閉部３０が棒状化粧料８０に当接して棒状化粧料８０に押し上げられることを防止できる。なお、リング部材５０は、回転軸２６３との摩擦力が十分に得られるように、ゴムのような弾性部材で構成されてもよい。
【００３８】
−ノック機構部の動作
ここで、図７を参照し、ノック機構部４０の動作を説明する。図７は、ノック機構部４０の動作を示す説明図である。図７の左図に示した使用待機状態においては、回転部４４０の羽根部４４２が筒体２２０の第２軸方向ガイド溝２２９に嵌合しており、羽根部４４２がノック受け部４２０の上縁部４２１に当接している。当該使用待機状態においてノック受け部４２０が使用者によりノックされると、ノック受け部４２０が上昇し、羽根部４４２がノック受け部４２０の上縁部４２１に押されることにより回転部４４０も上昇する。
【００３９】
そして、図７の中図に示したように、羽根部４４２の下面４４２ａが第２軸方向ガイド溝２２９の側壁の上端よりも上昇すると、下面４４２ａが斜面であることから下面４４２ａが上縁部４２１の頂部を摺動し、同時に回転部４４０がノック受け部４２０に対して回転する。すると、羽根部４４２の下面４４２ａが凸面２２８の斜面２２８ａ上に位置するようになる。その後、羽根部４４２の下面４４２ａが、支持部４６０を介してコイルバネ４８０から受ける下方への付勢力に応じて斜面２２８ａを摺動することにより、回転部４４０が回転する。そして、図７の右図に示したように、羽根部４４２が段差部２２８ｂに突き当たる。羽根部４４２が段差部２２８ｂに突き当たったこの状態で、スリーブ６０の開口Ｓからの突出が維持される。
【００４０】
その後、使用者によりノック受け部４２０が再度ノックされると、羽根部４４２が段差部２２８ｂを乗り越え、斜面２２８ａ上に位置するようになる。すると、羽根部４４２の下面４４２ａが、支持部４６０を介してコイルバネ４８０から受ける下方への付勢力に応じて斜面２２８ａを摺動し、第２軸方向ガイド溝２２９の位置まで移動し、第２軸方向ガイド溝２２９に嵌合する。これにより、棒状化粧料容器１０は、図７の左図に示した使用待機状態に戻る。
【００４１】
なお、このようなノック機構部４０によれば、使用可能状態において、容器本体２０における回転部４４０の位置が固定され、スリーブ６０と回転部４４０の相対的な位置関係が固定されるので、棒状化粧料８０と唇との当接によりスリーブ６０に下向きの力が生じても、スリーブ６０が容器本体２０に対して下降してしまうことを防止できる。
【００４２】
（スリーブおよび昇降機構部）
上述した回旋部２６０およびコイルバネ４８０には、スリーブ６０および昇降機構部が内挿される。昇降機構部は、スリーブ６０の回旋に応じてスリーブ６０に対して棒状化粧料８０を昇降させる。以下、図８および図９を参照し、スリーブ６０および昇降機構部についてより詳細に説明する。
【００４３】
図８は、スリーブ６０および昇降機構部７０の側面図である。図８に示したように、昇降機構部７０の下端には、外周面が周方向に沿って凹凸が繰り返される係合部７２０が設けられる。当該係合部７２０は、支持部４６０の凹凸面４６４に係合する。ただし、昇降機構部７０と支持部４６０との係合は凹凸による係合に限られず、昇降機構部７０と支持部４６０とは接着材または両面テープなどの他の方法によって係合してもよい。筒体２２０に対する支持部４６０の回転位置は固定されているので、係合部７２０と凹凸面４６４との係合により、係合部７２０の筒体２２０に対する回転位置も固定される。
【００４４】
図９は、図８に示したＡ−Ａ線断面を示す説明図である。図９に示したように、昇降機構部７０は、係合部７２０に加え、機構基部７３０、第１昇降部７４０および第２昇降部７５０を有する。
【００４５】
機構基部７３０は、筒型の形状を有し、機構基部７３０の外周面には周方向に沿う環状溝７３０ａが形成される。図９には２つの環状溝７３０ａが示されているが、環状溝７３０ａは１つであってもよいし、３つ以上であってもよい。当該環状溝７３０ａにスリーブ６０の内周面に周方向に沿って形成された環状突起６０ａが係合する。かかる構成により、スリーブ６０が機構基部７３０に対して回転可能となる。なお、環状突起６０ａは、環状に連続的な突起であってもよいし、環状に断続的に配置された突起群であってもよい。
【００４６】
第１昇降部７４０は、スリーブ６０の回旋に連動して、機構基部７３０に対して回旋および昇降する。このような第１昇降部７４０は、図９に示したように、側部７４１、底部７４２およびネジ部７４３を有する。側部７４１は、筒型の形状を有する部分であり、棒状化粧料８０の下端側外周に固定される。当該側部７４１がスリーブ６０の回旋力を受けることで、第１昇降部７４０が回旋する。底部７４２は、側部７４１の下端から延出する環状領域であり、棒状化粧料８０の底面を支持する。ネジ部７４３は、底部７４２の内周の縁から下方に延出する部分であり、機構基部７３０および第２昇降部７５０の内側に位置する。ネジ部７４３の外周面には雄ネジ７４３ａが形成されており、当該雄ネジ７４３ａが後述する第２昇降部７５０の内周面に形成された図示しない雌ネジに螺合する。
【００４７】
第２昇降部７５０は、中空のネジである。第２昇降部７５０は機構基部７３０の内側に位置し、第２昇降部７５０の内側にネジ部７４３が位置する。第２昇降部７５０の外周面には雄ネジ７５０ａが形成されており、当該雄ネジ７５０ａが機構基部７３０の内周面に形成された図示しない雌ネジに螺合する。
【００４８】
＜３．棒状化粧料容器の動作＞
以上、棒状化粧料容器１０の構成、および構成要素ごとの動作を説明した。続いて、図１０を参照し、棒状化粧料容器１０の全体動作を整理する。
【００４９】
図１０は、棒状化粧料容器１０の全体動作を示す説明図である。図１０の左図は、棒状化粧料容器１０の使用待機状態を示しており、使用待機状態においてスリーブ６０および棒状化粧料８０は回旋部２６０の開口Ｓに埋没している。すなわち、図１０の左図においてはスリーブ６０が第２の位置にあり、スリーブ６０が回旋部２６０の上端側に埋没している。その後、ノック受け部４２０が使用者にノックされると、図７を参照して説明したノック機構部４０の動作により回転部４４０および支持部４６０が筒体２２０に対して上昇し、上昇した位置に維持される。結果、図１０の中図に示したように回転部４４０および支持部４６０の上昇に伴ってスリーブ６０および棒状化粧料８０も上昇し、スリーブ６０および棒状化粧料８０が回旋部２６０の開口Ｓから突出する。すなわち、図１０の中図においてはスリーブ６０が第１の位置にあり、スリーブ６０が回旋部２６０の上端側から突出している。ここで、スリーブ６０が開口Ｓから突出する過程で、スリーブ６０の外周面に係合しているリング部材５０が開閉部３０の回転軸２６３に当接しながら回転軸２６３を回転させる。回転軸２６３の回転により、図１０の中図に示したように、開閉部３０が開口Ｓを開く。
【００５０】
さらに、使用者が回旋部２６０を第１方向に回旋させると、リング部材５０を介して回旋部２６０の回旋力がスリーブ６０に伝達され、スリーブ６０が回旋することにより棒状化粧料８０がスリーブ６０に対して上昇する。これにより、棒状化粧料容器１０は、図１０の右図に示したように、棒状化粧料８０がスリーブ６０から突出した使用可能状態となる。
【００５１】
その後、使用者が回旋部２６０を第２方向に回旋させることで棒状化粧料８０がスリーブ６０に埋没し、使用者がノック受け部４２０をノックすることでスリーブ６０が回旋部２６０の開口に埋没し、開閉部３０が付勢力により開口Ｓを閉じ、棒状化粧料容器１０が使用待機状態に復帰する。
【００５２】
ここで、スリーブ６０の回旋に伴う棒状化粧料８０の昇降について補足する。スリーブ６０の第１方向への回旋に連動して第１昇降部７４０が回旋すると、ネジ部７４３の雄ネジ７４３ａと第２昇降部７５０の内周面に形成された雌ネジとの螺合が緩まり、第１昇降部７４０が第２昇降部７５０に対して上昇する。これにより、第１昇降部７４０により支持される棒状化粧料８０も上昇し、棒状化粧料８０がスリーブ６０から露出する。
【００５３】
さらに第１昇降部７４０が第１方向に回旋し、第１昇降部７４０の第２昇降部７５０に対する上昇量が上限に達すると、第１昇降部７４０の回旋に連動して第２昇降部７５０も第１方向に回旋し始める。すると、第２昇降部７５０の雄ネジ７５０ａと機構基部７３０の内周面に形成された雌ネジとの螺合が緩まり、第２昇降部７５０が機構基部７３０に対して上昇する。これにより、棒状化粧料８０がスリーブ６０からさらに突出する。
【００５４】
その後、スリーブ６０の第２方向への回旋に連動して第１昇降部７４０も第２方向に回旋すると、ネジ部７４３の雄ネジ７４３ａと第２昇降部７５０の内周面に形成された雌ネジとの螺合が進行し、第１昇降部７４０が第２昇降部７５０に対して下降する。その後、第１昇降部７４０の回旋に連動して第２昇降部７５０も第２方向に回旋し始め、第２昇降部７５０の雄ネジ７５０ａと機構基部７３０の内周面に形成された雌ネジとの螺合が進行し、第２昇降部７５０が機構基部７３０に対して下降する。これにより、棒状化粧料８０がスリーブ６０に埋没した状態に戻る。
【００５５】
＜４．むすび＞
以上説明したように、本発明の実施形態によれば、使用者は、キャップの着脱無しに棒状化粧料容器１０を使用することが可能である。従って、片手での操作が可能となり、キャップの置き場所にも困らなくなることから、棒状化粧料容器１０を使用するための使用者の手間および時間を軽減することが可能である。特に、近年の女性の社会進出に伴い、スキンケアおよび化粧を短時間かつ簡単に行いたいという女性のニーズが高まっている。本発明の実施形態によれば、棒状化粧料容器１０の内容物に棒状化粧料を適用することにより、上記のような女性のニーズを満たすことが可能である。
【００５６】
さらに、回旋部２６０の開口Ｓを開閉する開閉部３０は開口Ｓを閉じる方向に付勢されているので、棒状化粧料容器１０の使用待機状態において開閉部３０が開口Ｓを開いてしまうことを抑制できる。
【００５７】
また、本発明の実施形態によれば、スリーブ６０に対する棒状化粧料８０の昇降が回旋部２６０の回旋により実現される。このため、棒状化粧料８０と唇との当接により棒状化粧料８０に下向きの力が発生しても、当該下向きの力が棒状化粧料８０および回旋部２６０を回旋させる力に変換されなければ、棒状化粧料８０はスリーブ６０に対して下降しない。従って、本発明の実施形態によれば、棒状化粧料８０と唇との当接により棒状化粧料８０に対して発生した下向きの力がダイレクトに棒状化粧料８０の昇降に繋がる機構と比較して、棒状化粧料容器１０の使用時に棒状化粧料８０がスリーブ６０に埋没し難いという利点がある。
【００５８】
また、図３を参照して説明したように、使用可能状態において、容器本体２０における回転部４４０の位置が固定され、スリーブ６０と回転部４４０の相対的な位置関係が固定されるので、棒状化粧料８０と唇との当接により棒状化粧料８０を介してスリーブ６０に下向きの力が生じても、スリーブ６０が容器本体２０に対して下降してしまうことを防止できる。
【００５９】
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１０  棒状化粧料容器
２０  容器本体
２２０  筒体
２２４  周方向ガイド溝
２２６  第１軸方向ガイド溝
２２８  凸面
２２８ａ  斜面
２２８ｂ  段差部
２２９  第２軸方向ガイド溝
２６０  回旋部
２６２  第１部分
２６３  回転軸
２６４  第２部分
２６４ａ  突起
３０  開閉部
３１  開閉要素
４０  ノック機構部
４２０  ノック受け部
４２１  上縁部
４２２  突起
４４０  回転部
４４１  基部
４４２  羽根部
４４２ａ  下面
４６０  支持部
４６２  突起
４６４  凹凸面
４８０  コイルバネ
５０  リング部材
６０  スリーブ
６０ａ  環状突起
７０  昇降機構部
７２０  係合部
７３０  機構基部
７３０ａ  環状溝
７４０  第１昇降部
７４１  側部
７４２  底部
７４３  ネジ部
７４３ａ  雄ネジ
７５０  第２昇降部
７５０ａ  雄ネジ
８０  棒状化粧料
【図１】
2020014633.tif 000003
【図２】
2020014633.tif 000004
【図３】
2020014633.tif 000005
【図４】
2020014633.tif 000006
【図５】
2020014633.tif 000007
【図６】
2020014633.tif 000008
【図７】
2020014633.tif 000009
【図８】
2020014633.tif 000010
【図９】
2020014633.tif 000011
【図１０】
2020014633.tif 000012